(57)【要約】【課題】  テープ切断部の切断形状で被切断出所および／または被切断時間等の特定情報を識別できるようにして、製品の流通過程を詳細且つ適正に管理することができるようにしたテープカッターを提供する。【解決手段】  少なくとも片面に貼着面を有し、この貼着面により貼着可能とするテープ４１ａが中空巻芯４２ａの外周に重設状に巻き付けてなるテープ巻体４ａから適長さのテープ４１ａを引き出しながら切断刃２ａで切断し得るようにしたものであり、この切断刃２ａには、テープの切断形状を可変し得る可変手段を設けられており、テープ切断部の切断形状で被切断出所および／または被切断時間を識別できるよう構成した。また、この可変手段としては、変形調節機構３ａや脱着交換機構、回転調節機構によるものが適宜に採用される。【選択図】  図１
2008280125.tif 000002
【特許請求の範囲】
【請求項１】
少なくとも片面が貼着面であるテープを中空巻芯の外周に重設状に巻き付けてなるテープ巻体から適長さのテープを引き出しながら切断刃で切断し得るようにしたテープカッターであって、該テープカッターの切断刃は、前記テープの切断形状を可変し得る可変手段が設けられており、テープ切断部の切断形状で被切断出所および／または被切断時間を識別できるよう構成した事を特徴とするテープカッター。
【請求項２】
少なくとも片面が貼着面であるテープを中空巻芯の外周に重設状に巻き付けてなるテープ巻体をテープ支持部に装着して、該テープ巻体から適長さのテープを引き出しながら切断刃で切断し得るようにしたテープカッターであって、該テープカッターは、前記テープの切断形状を可変し得る可変手段が設けられており、テープ切断部の切断形状で被切断出所および／または被切断時間を識別できるよう構成した事を特徴とするテープカッター。
【請求項３】
前記切断刃の可変手段は、切断刃によるテープの切断形状を可変調節し得る変形調節機構であることを特徴とする請求項１又は請求項２記載のテープカッター。
【請求項４】
前記切断刃の可変手段は、切断刃によるテープの切断形状を可変し得る脱着交換機構であることを特徴とする請求項１又は請求項２記載のテープカッター。
【請求項５】
前記切断刃の可変手段は、切断刃によるテープの切断形状を可変調節し得る回転調節機構であることを特徴とする請求項１又は請求項２記載のテープカッター。
【発明の詳細な説明】
【技術分野】
【０００１】
本発明は、貼着可能なテープを支持するテープ支持部と該テープを切断する切断刃とを備えたテープカッターに関するものである。
【背景技術】
【０００２】
従来、テープカッターは梱包用や塗装用、またはその他の用途として幅広く使用されており、紙や布、またはセロハンやプラスチック、或いはそれらの複合材料から形成すると共に、少なくとも片面に粘着材を塗布して形成したテープを巻き取って成るテープ巻体を、テープカッター本体のテープ支持部に回転可能に支持させて、該テープを切断するための切断刃を本体適所に具備して構成されている。
【０００３】
そして、このようなテープカッターに関しては、従来、例えば図１３に示すようなテープカッターが開示されている。すなわち、このテープカッターは、ガムテープ１（テープ巻体）を回転可能に保持する回転軸部２（テープ支持部）が支持体３に固定して設けられ、その支持体３にガムテープ１を導くガイドローラー６と、ガムテープ１を裁断する刃４（切断刃）とが取付けられた構成のものである（特許文献１）。
【０００４】
また、このテープカッターの支持体３には、枢支部７を介して回動可能に把手部５ａが取付けられており、支持体３と把持部５ａの縁とでガムテープ１の側面１ａが回転可能な態様で保持されると共に、回転軸部２からのガムテープ１の逸脱が防止されている。
【０００５】
このテープカッターによって被着体にガムテープ１を貼り付ける方法としては、まずガムテープ１を挟みこむように右手で把手部５ａの外面と回転軸部２の内面とを握持し、次にガイドローラー６から被着体方向へ握持した把手部５ａを押圧し、ガムテープ１を被着体に当接させ、さらにガイドローラー６から刃４方向へ握持した把手部５ａを引くことによりガムテープ１を被着体に貼付し、次に被着体に貼付されたガムテープ１の外面に刃４を当接し、ガムテープ１を刃４で裁断するという手順で行うものとしている。
【特許文献１】実用新案登録第３０６８７１６号公報（第３頁、図１）
【発明の開示】
【発明が解決しようとする課題】
【０００６】
ところで、前述したような従来のテープカッターは、特に製品製造業者が保有する出荷工場でなされる製品の梱包作業でよく活用されているが、出荷工場が複数存在する場合、該工場を識別して流通過程を管理する必要が生じる。
【０００７】
例えば、製品や梱包の不良、また運送行程における破損などが発生した時に、流通管理者は係る製品の出荷工場を特定して問題を迅速に解決しなければならない。加えて、問題が起きた出荷工場における梱包時間、または梱包担当者を特定できれば望ましい。そのために、一つの手段としてそれらを特定する情報を各出荷工場毎において梱包物の適所に表示するなどして対応できる。
【０００８】
しかしながら、販売競争の激化する流通界において、出荷工場から顧客に配送されるまでの期間を可及的に短縮することが求められている現状では、梱包出荷作業を可及的に簡略化することが課題となっている。特に、梱包におけるテープカッターでの貼着作業と共に、前述の特定情報の梱包物に対する表示作業を同時に処理することができれば、従来の梱包出荷作業に要する時間に支障をきたすことはないが、従来のテープカッターでそのことを実現できるものは存在していなかった。
【０００９】
加えて、問題が起きた出荷工場における梱包時間、または梱包担当者を特定する情報は、あくまでも製造業者側の内部情報であり、またそれらの情報によって不必要にも外部の人や顧客に混乱や不安を招いてしまわないようにするためにも、該特定情報を梱包物の表面にだれもが識別できるように明示することは不適切であり、製造業者側の流通管理者に限り、該特定情報を容易に把握することができるようにすることも課題となっていた。
【００１０】
そこで、本発明は、上記問題点を解消する為に成されたものであり、梱包における貼着作業と出荷工場に関する特定情報の表示作業とを同時に実施することができ、しかも適宜において出荷工場での梱包時間や梱包担当者などを特定することが可能であると共に、それらの特定情報は製造業者側の流通管理者に限り容易に把握することが可能なテープカッターを提供する事を目的とするものである。
【００１１】
更に、工場から出荷される製品に限らず、例えば小売店などで商品をラッピングする為に、粘着テープを使用する場合にも、販売担当者を特定できる方が望ましい。そこで本発明では、工場から出荷される製品に限らず、粘着テープ乃至は接着テープを用いて包装やラッピングを行う場合にも、その担当者を特定することが可能であると共に、それらの特定情報を販売業者側の管理者に限り容易に把握することが可能なテープカッターを提供する事を目的とするものである。
【課題を解決するための手段】
【００１２】
上記課題の少なくともいずれかを解決する為に、本発明では、少なくとも片面が貼着面であるテープを中空巻芯の外周に重設状に巻き付けてなるテープ巻体から適長さのテープを引き出しながら切断刃で切断し得るようにしたテープカッターであって、該テープカッターの切断刃は、前記テープの切断形状を可変し得る可変手段が設けられており、テープ切断部の切断形状で被切断出所および／または被切断時間を識別できる構成にしたテープカッターを提供する。
【００１３】
また、本発明では、少なくとも片面が貼着面であるテープを中空巻芯の外周に重設状に巻き付けてなるテープ巻体をテープ支持部に装着して、該テープ巻体から適長さのテープを引き出しながら切断刃で切断し得るようにしたテープカッターであって、該テープカッターは、前記テープの切断形状を可変し得る可変手段が設けられており、テープ切断部の切断形状で被切断出所および／または被切断時間を識別できるよう構成したのテープカッターを提供する。
【００１４】
さらに、本発明のテープカッターでは、前記切断刃の可変手段を、切断刃によるテープの切断形状を可変調節し得る変形調節機構を具備するものとして形成することが望ましい。
【００１５】
さらにまた、本発明のテープカッターでは、前記切断刃の可変手段を、切断刃によるテープの切断形状を可変し得る脱着交換機構を具備するものとして形成することが望ましい。
【００１６】
また、本発明のテープカッターは、前記切断刃の可変手段を、切断刃によるテープの切断形状を可変調節し得る回転調節機構を具備するものとして形成することが望ましい。
【００１７】
上記本発明にかかるテープカッターは、幅広に形成されている粘着テープ（所謂「ガムテープ」）のみならず、文具として利用されるような幅の狭い粘着テープ（所謂「セロファンテープ」）、或いはラッピングなどに使用される装飾性の高い粘着テープを切断するものとして構成することができる。また、当該テープカッターは、手に持って使用されるハンド型のテープカッターのみならず、卓上に載置して使用することのできる卓上型テープカッターとして具体化することができる。その他にも、各種粘着テープや接着テープを切断する為のものとして形成することができる。
【発明の効果】
【００１８】
以上の様に構成された本発明のテープカッターでは、テープを中空巻芯の外周に重設状に巻き付けてなるテープ巻体から、適長さのテープを引き出しながら切断刃で切断する場合において、このテープの切り口である切断形状（即ち切断縁形状。本明細書中において同義）を適宜変形できるよう可変手段を設けた切断刃としているため、被切断出所および／または被切断時間（出荷工場や梱包時間、または梱包担当者）などの特定情報に応じて切断刃の形状を変更設定しておくことで、それら設定された種々の刃形の切断刃による独特なテープの切断形状から、出荷工場や梱包時間または梱包担当者などの被切断出所および／または被切断時間を流通管理者が特定できるようにすることができ、製品の流通過程を詳細に且つ適正に管理することが可能となる。
【００１９】
しかも、梱包時におけるテープの貼着作業と梱包物に対するこれら被切断出所および／または被切断時間等の特定情報の表示作業とを同時に実施することができるので、出荷工場から顧客に配送されるまでの期間を可及的に短縮することが可能となる。
【００２０】
さらに、テープの独特の切り口である切断形状が示す特定情報は、製造業者側の流通管理者しか読み取ることができないものであるため、外部の人や顧客に対して不必要な混乱や不安などを招いてしまうといような恐れはない。
【００２１】
また、本発明のテープカッターは、切断刃の可変手段を、切断刃によるテープの切断形状を可変調節し得る変形調節機構であるものとしているため、即座に切断刃の刃形を変形させることができ利便性の高いものとなる。
【００２２】
さらに、本発明のテープカッターは、前記切断刃の可変手段を、切断刃によるテープの切断形状を可変し得る脱着交換機構であるものとしているため、切断刃は即座に脱着交換可能となり複雑な機構を要さずシンプルに構成できるものであり、しかも、梱包担当者が切断刃の刃形を自分で変更できないため、確実に前記特定情報が保たれる。
【００２３】
またさらに、本発明のテープカッターは、前記切断刃の可変手段を、切断刃によるテープの切断形状を可変調節し得る回転調節機構であるものとしているため、前記切断刃を回転して位置調節を行うことにより切断刃の形状を即座に変更可能となり、刃形を容易に変更できる。
【発明を実施するための最良の形態】
【００２４】
以下に、本発明のテープカッターを、図面に示す一実施形態に基づきこれを詳細に説明する。
図１は、本発明のテープカッターの一実施形態を示す斜視図であり、図２は、本発明のテープカッターの一実施形態を示す使用状態図である。また、図３及び図４は、本発明のテープカッターにおける切断刃によるテープの切断形状を可変調節し得る可変手段が変形調節機構である場合の一実施形態を示す部分参考図であり、図５乃至図図９は、本発明のテープカッターにおける切断刃によるテープの切断形状を可変調節し得る可変手段が変形調節機構である場合の他の実施形態を示す部分参考図である。さらに、図１０は、本発明のテープカッターにおける切断刃によるテープの切断形状を可変調節し得る可変手段が脱着交換機構である場合の一実施形態を示す斜視説明図であり、図１１は、本発明のテープカッターにおける切断刃の可変手段が回転調節機構である場合の一実施形態を示す部分参考図であり、図１２は、本発明のテープカッターにおける切断刃によるテープの切断形状を出荷工場や梱包担当者等の被切断出所や梱包時間等被切断時間などの特定情報に応じて設定する場合の一実施形態を示す一覧表である。
【００２５】
すなわち、本発明のテープカッター１ａは、図１の実施形態で示したように、少なくとも片面に貼着面を有し、この貼着面により貼着可能とするテープ４１ａが中空巻芯４２ａの外周に重設状に巻き付けてなるテープ巻体４ａから適長さのテープ４１ａを引き出しながら切断刃２ａで切断し得るようにしたものであり、この切断刃２ａは、テープの切断形状を可変し得る可変手段が設けられている。
【００２６】
また、本発明のテープカッター１ａには、前記テープ巻体４ａを回転可能または摺動回転可能に支持するテープ支持部１１ａを設けたものを例示しており、該テープ４１ａを切断した場合の切断形状に被切断出所および／または被切断時間を識別できる切断形状を形成させる切断刃２ａを備えたものとしている。
【００２７】
前記テープ４１ａは、紙や布、またはセロハンやプラスチック、或いはそれらの複合材料から形成するものとしているが、特にこれらに限定されるものではなく、テープ類であれば、どのような素材のものであっても良い。
【００２８】
また、前記テープ支持部１１ａは可撓性を有すると共に側面視半円形の板状に形成しており、前記テープ巻体４ａの中空巻芯４２ａの中空内部に嵌入して装着され、該テープ巻体４ａを回転可能または摺動回転可能に支持している。尚、本実施形態では、テープ支持部１１ａの周縁適所に、テープ巻体４ａが不意に脱落しないようにするための爪状突起の落ち止め４３ａを設けたものを例示している。
【００２９】
さらに、前記テープ支持部１１ａより前方位置に、前記切断刃２ａを固定支持する刃支持部１２ａを設けており、該切断刃２ａは、該刃支持部１２ａの上部に配設されている。
【００３０】
また、前記刃支持部１２ａの後部において、可撓性を有すると共に側面視円弧形の板状に形成した円弧板部１３ａを延設しており、図２に示すように、これによって、円弧板部１３ａと前記テープ支持部１１ａとを挟持して使用できる。尚、このテープカッター１ａは、円弧板部１３ａとテープ支持部１１ａとを比較的強く挟持した場合には、前記テープ支持部１１ａにおける前記テープ巻体４ａの回転を制止することができるようになっている。
【００３１】
加えて、前記刃支持部１２ａの下部には、前記テープ４１ａの引き出し時における案内と一時的保持を行わせるテープ案内保持部１４ａが設けられており、該テープ案内保持部１４ａは、図７に示したように、左右一対である爪状の対向突起として形成している。
【００３２】
よって、本発明のテープカッター１ａは、テープ４１ａを前記左右一対のテープ案内保持部１４ａの内側を通過しながら前記テープ巻体４ａから引き出され、図２に示すように、梱包物５ａの貼着面５１ａにその引き出したテープ４１ａを貼着すると共に、前記円弧板部１３ａと前記テープ支持部１１ａとを強く挟持して前記テープ支持部１１ａにおける前記テープ巻体４ａの回転を制止させながら前記切断刃２ａをテープ４１ａに押し当てつつ該テープ４１ａを切断して使用することができるのである。
【００３３】
また、前記切断刃２ａにより前記テープ４１ａが切断された後は、前記テープ巻体４ａ側のテープ４１ａの先端部が前記テープ案内保持部１４ａで一時的に保持されることになるので、続けて他の梱包物等の被貼着物に対する貼着作業を行う際に、該テープ４１ａの貼着面にテープ４１ａの先端部を押し当てるようにして貼着した後、このテープカッター１ａを被貼着物の貼着方向に移動させながらテープ巻体４ａからテープ４１ａを引き出して貼着させることができる。
【００３４】
（実施例１）
本発明のテープカッター１ａは、前述したように、前記テープ４１ａの切り口である切断形状４４ａを適宜変形できるよう前記切断刃２ａの切断形状４４ａを可変し得る可変手段が設けられたものであるが、例えば、図３及び図４に示したものは、前記切断刃２ａの可変手段が変形調節機構３ａである場合の一実施形態を示したものであり、該変形調節機構３ａは、前記切断刃２ａを前記刃支持部１２ａにおいて可動する左右一対の可動刃２１ａを備えると共に、該各可動刃２１ａを刃支持部１２ａに固定する刃固定具２１１ａを設けて構成されたものとしている。
【００３５】
前記変形調節機構３ａにおける刃固定具２１１ａとしては、前記各可動刃２１ａ・２１ａの１枚毎に各１本のビスや螺子が適用されるものとしており、ビス等の各刃固定具２１１ａ・２１１ａを緩めることにより、図４に示すような刃形になるまで各可動刃２１ａ・２１ａを矢印方向に移動させて変形させることができ、その後に各刃固定具２１１ａ・２１１ａを締めて各可動刃２１ａ・２１ａを前記刃支持部１２ａに再度固定するという手順で、切断形状４４ａを可変し得る切断刃２ａ形状に適宜変更することができるのである。
【００３６】
（実施例２）
また、図５乃至図７に示したものは、本発明のテープカッター１ａにおける切断刃２ａの可変手段が他の変形調節機構３ａである場合の実施形態を示したものであり、該変形調節機構３ａは、前述したような左右一対の可動刃２１ａ・２１ａを備えると共に、各可動刃２１ａ・２１ａが前記刃支持部１２ａにおいて幅方向に回動可能となるよう各可動刃２１ａ・２１ａの至端部に回動部３１ａをそれぞれ設け、且つ、前記刃支持部１２ａの上部に形成する板状の平板形成部１２１ａの長さ方向にスライド溝３３ａを穿設すると共に、前記左右一対の可動刃２１ａの各基端部にスライド軸３２ａを貫通させ、しかも、前記スライド溝３３ａに沿ってスライドするスライド軸３２ａの下部で各可動刃２１ａ・２１ａの基端部を回動可能に連結すると共に、該スライド軸３２ａの上部を圧着具３４ａで螺合して構成されており、各可動刃２１ａ・２１ａの基端部を基点とし、至端部が開閉角度可変に平板形成部１２１ａに圧着させることができるようにしている。
【００３７】
前記スライド軸３２ａは、前述したようなビスや螺子を適用することができるものであり、また、前記圧着具３４ａとしては、手で容易に緩めたり締め付けたりすることができるようなタイプのナットを適用することが操作上において望ましい。この場合、図７に示すように、ビスや螺子であるスライド軸３２ａを前記各可動刃２１ａ・２１ａのそれぞれが重合した前記基端部と前記平板形成部１２１ａの前記スライド溝３３ａとに貫通させ、その上端をナットである圧着具３４ａで螺合させることで変形調節機構３ａが構成できる。
【００３８】
このように構成された前記変形調節機構３ａにおける切断刃２ａの変形調節手順としては、まず、前記圧着具３４ａを手で緩めると共に、該圧着具３４ａを把持しつつ前記スライド軸３２ａを切断刃２ａが所望する刃形になるまで図６に示す矢印方向にこれを移動させ、その後に圧着具３４ａを締め付けて再度固定するという手順で、切断形状４４ａを可変し得る切断刃２ａ形状に適宜変更することができるのである。
【００３９】
（実施例３）
さらに、図８及び図９に示したものは、本発明のテープカッター１ａにおける切断刃２ａの可変手段が他の変形調節機構３ａである場合の実施形態を示したものであり、該変形調節機構３ａは、前記刃支持部１２ａにおいて可動する可動刃２１ａを設けると共に、刃支持部１２ａに常時固定される固定刃２２ａを併用した構成のものである。
【００４０】
すなわち、前記変形調節機構３ａは、刃支持部１２ａの先端に固定刃２２ａを固定すると共に、前記平板形成部１２１ａに設けた前記スライド溝３３ａに沿って可動する可動刃２１ａを設けることができ、該可動刃２１ａは前述したような前記スライド軸３２ａ及び前記圧着具３４ａによる位置調節が行えるようにしており、このように構成した場合、可動刃２１ａに前記回動部３１ａを設ける必要はなくなり、変形調節機構３ａの構成を簡素化することができる。
【００４１】
（実施例４）
図１０に示したものは、本発明のテープカッター１ａにおける切断刃２ａの可変手段が切断刃２ａによるテープ４１ａの切断形状を可変し得る脱着交換機構である場合の実施形態を示したものであり、該脱着交換機構は、本発明のテープカッター１ａにおける切断刃２ａの形状を変更するために、切断刃２ａの脱着交換を可能とするよう構成したものである。
【００４２】
すなわち、この脱着交換機構は、予め、種々の異なる刃形の切断刃２ａを準備して前記刃支持部１２ａの先端においてこれら種々の異なる刃形の切断刃２ａを有する脱着切断刃体２３ａとしておき、その目的とする切断形状の脱着切断刃体２３ａを適宜に脱着させて切断形状を可変し得るようにするものである。
【００４３】
また、前記脱着交換機構における前記刃支持部１２ａに対する前記脱着切断刃体２３ａの脱着を可能とする構成としては、例えば脱着切断刃体２３ａの左右側面に係止凸部２３１ａをそれぞれ形成すると共に、刃支持部１２ａに形成する左右一対の縦板形成部１２２ａに係止溝部１２３ａをそれぞれ形成し、各係止溝部１２３ａに各係止凸部２３１ａを挿入嵌設させる構成が採用できる。
【００４４】
（実施例５）
図１１に示したものは、本発明のテープカッター１ａにおける切断刃２ａの可変手段が切断刃２ａによるテープ４１ａの切断形状を可変し得る回転調節機構である場合の実施形態を示したものであり、該回転調節機構は、本発明のテープカッター１ａにおける切断刃２ａの形状を変更するために、種々の異なる刃形の切断刃２ａを周設させておき、これを適宜に回転させて所望の切断刃２ａを選択指定することで切断形状を可変し得るようにするものである。
【００４５】
すなわち、この回転調節機構は、予め、種々の異なる刃形の切断刃２ａを周設した回転刃２４ａが使用されるものであり、前記刃支持部１２ａの前記平板形成部１２１ａの下面に前記回転刃２４ａを回動部２４１ａにより可回転に軸止させ、その回転刃２４ａの平板形成部１２１ａを介した上面には前記回転刃２４ａを連動回転させるための調節つまみ２４２ａが設けられており、調節つまみ２４２ａの回転により回転刃２４ａを連動回転させ、その目的とする切断形状の切断刃２ａを適宜に選択指定して切断形状を可変し得るようにしたものである。
【００４６】
また、前記回転調節機構は、前記調節つまみ２４２ａと前記平板形成部１２１ａとの間にラチェット機構２４３ａを設けても良く、該ラチェット機構２４３ａの介設により、前記回転刃２４ａの回転及び位置固定を容易に行えるようにしたものとなる。尚、図１１では、前記回転刃２４ａの固定位置として８カ所設けたものを示しているが、これに限定されるものではない。
【００４７】
よって、このように構成された前記回転調節機構における切断刃２ａの回転調節手順としては、まず、前記調節つまみ２４２ａを回してラチェット機構２４３ａの固定状態を解除すると共に回転刃２４ａを回転させ、前記刃支持部１２ａから突出している回転刃２４ａの切断刃２ａの刃形が所望する形状となる位置でラチェット機構２４３ａを稼働させて回転刃２４ａを固定させるという手順で目的とする切断形状の切断刃２ａを選択指定することができ、テープカッター１ａにおけるテープ４１ａの切断形状４４ａを可変し得る切断刃２ａ形状に適宜変更することができるのである。
【００４８】
このように、上記で説明した本発明のテープカッター１ａは、テープ４１ａの切り口である切断形状４４ａを適宜変形できるよう切断刃２ａの形状を変更可能としたものとしているため、図１２に示すように出荷工場や梱包担当者等の被切断出所や梱包時間等被切断時間などの特定情報に応じて切断刃の形状を適宜設定しておくことで、それら種々の刃形の切断刃による独特なテープの切り口である切断形状４４ａから、出荷工場や梱包担当者等の被切断出所や梱包時間等の被切断時間を流通管理者が識別して特定できるものとなり、製品の流通過程を詳細且つ適正に管理することが可能となるのである。
【産業上の利用可能性】
【００４９】
本発明のテープカッターは、テープ切断部の切断形状で被切断出所および／または被切断時間を識別できるよう構成しているため、梱包関連の管理や流通管理以外にも使用されるテープの種類や目的に応じて事務作業による管理や治療管理にも適用できる。
【図面の簡単な説明】
【００５０】
【図１】本発明のテープカッターの一実施形態を示す斜視図である。
【図２】本発明のテープカッターの一実施形態を示す使用状態図である。
【図３】本発明のテープカッターにおける切断刃によるテープの切断形状を可変調節し得る可変手段が変形調節機構である場合の一実施形態を示す部分参考図である。
【図４】本発明のテープカッターにおける切断刃によるテープの切断形状を可変調節し得る可変手段が変形調節機構である場合の一実施形態を示す部分参考図である。
【図５】本発明のテープカッターにおける切断刃によるテープの切断形状を可変調節し得る可変手段が変形調節機構である場合の他の実施形態を示す部分参考図である。
【図６】本発明のテープカッターにおける切断刃によるテープの切断形状を可変調節し得る可変手段が変形調節機構である場合の他の一実施形態を示す部分参考図である。
【図７】本発明のテープカッターにおける切断刃によるテープの切断形状を可変調節し得る可変手段が変形調節機構である場合の他の実施形態を示す部分参考図である。
【図８】本発明のテープカッターにおける切断刃によるテープの切断形状を可変調節し得る可変手段が変形調節機構である場合の他の実施形態を示す部分参考図である。
【図９】本発明のテープカッターにおける切断刃によるテープの切断形状を可変調節し得る可変手段が変形調節機構である場合の他の実施形態を示す部分参考図である。
【図１０】本発明のテープカッターにおける切断刃によるテープの切断形状を可変調節し得る可変手段が脱着交換機構である場合の一実施形態を示す斜視説明図である。
【図１１】本発明のテープカッターにおける切断刃の可変手段が回転調節機構である場合の一実施形態を示す部分参考図である。
【図１２】本発明のテープカッターにおける切断刃によるテープの切断形状を出荷工場や梱包担当者等の被切断出所や梱包時間等被切断時間などの特定情報に応じて設定する場合の一実施形態を示す一覧表である。
【図１３】従来技術を示す参考図である。
【符号の説明】
【００５１】
１ａ  テープカッター
１１ａ  テープ支持部
１２ａ  刃支持部
１２１ａ  平板形成部
１２２ａ  縦板形成部
１２３ａ  係止溝部
１３ａ  円弧板部
１４ａ  テープ案内保持部
２ａ  切断刃
２１ａ  可動刃
２１１ａ  刃固定具
２２ａ  固定刃
２３ａ  脱着切断刃体
２３１ａ  係止凸部
２４ａ  回転刃
２４１ａ  回動部
２４２ａ  調節つまみ
２４３ａ  ラチェット機構
３ａ  変形調節機構（変形手段）
３１ａ  回動部
３２ａ  スライド軸
３３ａ  スライド溝
３４ａ  圧着具
４ａ  テープ巻体
４１ａ  テープ
４２ａ  中空巻芯
４３ａ  落ち止め
４４ａ  切断形状
５ａ  梱包物
５１ａ  貼着面
【図１】
2008280125.tif 000003
【図２】
2008280125.tif 000004
【図３】
2008280125.tif 000005
【図４】
2008280125.tif 000006
【図５】
2008280125.tif 000007
【図６】
2008280125.tif 000008
【図７】
2008280125.tif 000009
【図８】
2008280125.tif 000010
【図９】
2008280125.tif 000011
【図１０】
2008280125.tif 000012
【図１１】
2008280125.tif 000013
【図１２】
2008280125.tif 000014
【図１３】
2008280125.tif 000015